(57)【特許請求の範囲】
【請求項１】
ヘリカルスキャン方式により磁気テープに対してプラスアジマスの記録トラックとマイナスアジマスの記録トラックを所定のトラックピッチで交互に形成する記録装置において、
回転ドラムに互いに近接して取り付けられた一対又は複数対のプラスアジマスの磁気ヘッド及びマイナスアジマスの磁気ヘッドと、
上記一対又は複数対のプラスアジマスの磁気ヘッド及びマイナスアジマスの磁気ヘッドに対して記録信号を供給する信号供給部とを備え、
上記磁気テープに対して第１のトラック幅の記録トラックを形成するときは、上記信号供給部が、上記一対又は複数対のプラスアジマスの磁気ヘッド及びマイナスアジマスの磁気ヘッドに対して当該磁気ヘッドの全ての記録機会に記録信号を供給し、
上記磁気テープに対して上記第１のトラック幅の２ｎ＋１（ｎは自然数）倍の広さの第２のトラック幅の記録トラックを形成するときは、上記信号供給部が、上記一対又は複数対のプラスアジマスの磁気ヘッド及びマイナスアジマスの磁気ヘッドに対して当該磁気ヘッドの２ｎ＋１（ｎは自然数）回の記録機会毎に記録信号を供給すること
を特徴とする記録装置。
【請求項２】
上記プラスアジマスの磁気ヘッド及びマイナスアジマスの磁気ヘッドを２対備えること
を特徴とする請求項１記載の記録装置。
【請求項３】
磁気テープに対してプラスアジマスの記録トラックとマイナスアジマスの記録トラックを所定のトラックピッチで交互に記録するヘリカルスキャン方式の信号記録方法において、
上記磁気テープに対して第１のトラック幅の記録トラックを形成するときは、回転ドラムに互いに近接して取り付けられた一対又は複数対のプラスアジマスの磁気ヘッド及びマイナスアジマスの磁気ヘッドに対して当該磁気ヘッドの全ての記録機会に記録信号を供給して記録を行い、
上記磁気テープに対して上記第１のトラック幅の２ｎ＋１（ｎは自然数）倍の広さの第２のトラック幅の記録トラックを形成するときは、上記一対又は複数対のプラスアジマスの磁気ヘッド及びマイナスアジマスの磁気ヘッドに対して当該磁気ヘッドの２ｎ＋１（ｎは自然数）回の記録機会毎に記録信号を供給して記録を行うこと
を特徴とする信号記録方法。
【発明の詳細な説明】
【０００１】
【発明の属する技術分野】
本発明は、ヘリカルスキャン方式により磁気テープに対して傾斜トラックを形成する記録装置及び信号記録方法に関し、特に記録密度の異なる複数の記録モードで磁気テープに信号を記録する記録装置及び信号記録方法に関する。
【０００２】
【従来の技術】
従来より、記録媒体である磁気テープを回転ドラムに巻装した状態で走行させると共に、回転ドラムを回転させて、回転ドラムに取り付けられた磁気ヘッドを用いて、磁気テープにその走行方向に対して傾斜した記録トラックを形成して音声信号や映像信号等を記録するヘリカルスキャン方式の記録装置が知られている。
【０００３】
このようなヘリカルスキャン方式の記録装置としては、アジマス角の異なる一対又は複数対の記録用磁気ヘッド（本明細書においては、これらをプラスアジマスの記録用磁気ヘッド及びマイナスアジマスの記録用磁気ヘッドという。）を備え、これらプラスアジマスの記録用磁気ヘッドとマイナスアジマスの記録用磁気ヘッドにより交互に記録を行うことで、磁気テープに対してプラスアジマスの記録トラックとマイナスアジマスの記録トラックを所定のトラックピッチで交互に形成するようにしたものが一般的である。
【０００４】
また、近年、記録用磁気ヘッドにより記録された信号を記録直後に再生してエラーを検出し、正しく記録されていない場合は同じ信号を再度記録して記録信号の信頼性を高めるようにした記録装置が提案されている。
【０００５】
このような記録装置においては、プラスアジマスの記録用磁気ヘッドとマイナスアジマスの記録用磁気ヘッドは、例えば同一のヘッドベース上に取り付けられ、互いに近接した状態で回転ドラムに搭載される。そして、この記録装置は、これらプラスアジマスの記録用磁気ヘッドとマイナスアジマスの記録用磁気ヘッドが磁気テープに対して接触していない回転ドラムの半周期で、記録された信号の再生チェックを行うようにしている。
【０００６】
この記録装置は、以上のように、再生チェックを記録と同時に行わないようにしているので、大きな記録電流が再生系に飛び込んでしまうという不都合を回避することができる。また、この記録再生装置は、対をなすプラスアジマスの記録用磁気ヘッドとマイナスアジマスの記録用磁気ヘッドとが互いに近接した状態で回転ドラムに搭載されているので、これら対をなす記録用磁気ヘッドが回転ドラム上に対向配置された場合に問題とされる回転ドラムの回転周期単位での記録位置ずれが抑制され、正確なピッチで記録トラックを形成することができるとの利点を有する。
【０００７】
【発明が解決しようとする課題】
ところで、近年、磁気テープに対して信号を記録する記録装置においては、取り扱われる情報量の増大化に対応して大容量の記録を可能にすべく、磁気テープに記録される記録トラックのトラックピッチを狭ピッチ化することで、面記録密度の向上を図ることが検討されている。そして、この場合、記録装置に対しては、狭トラックピッチで記録が可能であると共に既存のトラックピッチでの記録も可能な、いわゆる互換性を有することが望まれる。
【０００８】
ここで、対をなすプラスアジマスの記録用磁気ヘッドとマイナスアジマスの記録用磁気ヘッドとが回転ドラム上に対向配置された記録装置においては、磁気テープの送り速度を変化させることにより磁気テープに記録される記録トラックのトラックピッチを容易に変更することができるので、上述した狭トラックピッチと既存のトラックピッチでの互換性を持たせることが容易である。
【０００９】
しかしながら、対をなすプラスアジマスの記録用磁気ヘッドとマイナスアジマスの記録用磁気ヘッドとが互いに近接した状態で回転ドラムに搭載された記録装置においては、通常、形成される記録トラックのトラック幅は、プラスアジマスの記録用磁気ヘッドとマイナスアジマスの記録用磁気ヘッドのトラック幅方向の間隔、すなわちヘッド段差により決まる。したがって、このような記録再生装置においては、上述した狭トラックピッチと既存のトラックピッチでの互換性を持たせることが困難であり、例えば、ヘッド段差を異ならせて多数の記録用磁気ヘッドを回転ドラム上に搭載し、これら多数の記録用磁気ヘッドを選択的に使用して記録を行う等、装置構成の複雑化及び制御の煩雑化を招いてしまっていた。
【００１０】
そこで、本発明は、対をなすプラスアジマスの記録用磁気ヘッドとマイナスアジマスの記録用磁気ヘッドとが互いに近接した状態で回転ドラムに搭載された記録装置において、簡素な構成で狭トラックピッチでの記録と既存のトラックピッチでの記録を共に行うことができるようにした記録装置及びこの記録装置を用いて信号を記録する信号記録方法を提供することを目的とする。
【００１１】
【課題を解決するための手段】
本発明に係る記録装置は、ヘリカルスキャン方式により磁気テープに対してプラスアジマスの記録トラックとマイナスアジマスの記録トラックを所定のトラックピッチで交互に記録する記録装置において、回転ドラムに互いに近接して取り付けられた一対又は複数対のプラスアジマスの磁気ヘッド及びマイナスアジマスの磁気ヘッドと、これら一対又は複数対のプラスアジマスの磁気ヘッド及びマイナスアジマスの磁気ヘッドに対して記録信号を供給する信号供給部とを備えている。そして、この記録装置は、磁気テープに対して第１のトラック幅の記録トラックを形成するときは、信号供給部が、一対又は複数対のプラスアジマスの磁気ヘッド及びマイナスアジマスの磁気ヘッドに対して当該磁気ヘッドの全ての記録機会に記録信号を供給し、磁気テープに対して上記第１のトラック幅の２ｎ＋１（ｎは自然数）倍の広さの第２のトラック幅の記録トラックを形成するときは、信号供給部が、一対又は複数対のプラスアジマスの磁気ヘッド及びマイナスアジマスの磁気ヘッドに対して当該磁気ヘッドの２ｎ＋１（ｎは自然数）回の記録機会毎に記録信号を供給することを特徴としている。
【００１２】
この記録装置によれば、信号供給部が、一対又は複数対のプラスアジマスの磁気ヘッド及びマイナスアジマスの磁気ヘッドに対して当該磁気ヘッドの全ての記録機会に記録信号を供給することにより、当該磁気ヘッドが磁気テープに対して全ての記録機会で記録を行い、磁気テープに第１のトラック幅の記録トラックが形成される。
【００１３】
また、この記録装置によれば、信号供給部が、一対又は複数対のプラスアジマスの磁気ヘッド及びマイナスアジマスの磁気ヘッドに対して当該磁気ヘッドの２ｎ＋１（ｎは自然数）回の記録機会毎に記録信号を供給することにより、当該磁気ヘッドが磁気テープに対して２ｎ＋１（ｎは自然数）回の記録機会毎に記録を行い、磁気テープに第１のトラック幅の２ｎ＋１倍の広さである第２のトラック幅の記録トラックが形成される。
【００１４】
また、本発明に係る信号記録方法は、磁気テープに対してプラスアジマスの記録トラックとマイナスアジマスの記録トラックを所定のトラックピッチで交互に記録するヘリカルスキャン方式の信号記録方法において、磁気テープに対して第１のトラック幅の記録トラックを形成するときは、回転ドラムに互いに近接して取り付けられた一対又は複数対のプラスアジマスの磁気ヘッド及びマイナスアジマスの磁気ヘッドに対して当該磁気ヘッドの全ての記録機会に記録信号を供給して記録を行い、磁気テープに対して上記第１のトラック幅の２ｎ＋１（ｎは自然数）倍の広さの第２のトラック幅の記録トラックを形成するときは、一対又は複数対のプラスアジマスの磁気ヘッド及びマイナスアジマスの磁気ヘッドに対して当該磁気ヘッドの２ｎ＋１（ｎは自然数）回の記録機会毎に記録信号を供給して記録を行うことを特徴としている。
【００１５】
この信号記録方法によれば、一対又は複数対のプラスアジマスの磁気ヘッド及びマイナスアジマスの磁気ヘッドに対して当該磁気ヘッドの全ての記録機会に記録信号を供給することにより、磁気テープに第１のトラック幅の記録トラックが形成される。
【００１６】
また、この信号記録方法によれば、一対又は複数対のプラスアジマスの磁気ヘッド及びマイナスアジマスの磁気ヘッドに対して当該磁気ヘッドの２ｎ＋１（ｎは自然数）回の記録機会毎に記録信号を供給することにより、磁気テープに第１のトラック幅の２ｎ＋１倍の広さである第２のトラック幅の記録トラックが形成される。
【００１７】
【発明の実施の形態】
以下、本発明の実施の形態を図面を参照して説明する。
【００１８】
本発明に係る記録装置は、図１に示すような回転ヘッド装置１を備え、この回転ヘッド装置１に磁気テープＴを所定のラップ角で巻装させた状態で磁気テープＴを走行させると共に、回転ヘッド装置１を回転させて、磁気テープＴに傾斜した記録トラックを形成し、信号の書き込みを行うようにしている。そして、この記録装置は、トラック幅の狭い記録トラックを形成して信号を記録する高密度記録モードと、高密度記録モードにより形成される記録トラックのトラック幅よりも広いトラック幅の記録トラックを形成して信号を記録する標準記録モードを選択して信号の記録を行うことができるように構成されている点を特徴としている。
【００１９】
この記録装置の備える回転ヘッド装置１は、回転ドラム２と、この回転ドラム２の周面から磁気ギャップが外部を臨むように回転ドラム２に取り付けられた例えば４個の記録用磁気ヘッド（以下、第１の記録用磁気ヘッドＨ１、第２の記録用磁気ヘッドＨ２、第３の記録用磁気ヘッドＨ３、第４の記録用磁気ヘッドＨ４という。）とを備えている。
【００２０】
第１の記録用磁気ヘッドＨ１と第３の記録用磁気ヘッドＨ３は、回転ドラム２の回転に伴い移動する方向と直交する方向に対して所定の角度（アジマス角）で一方に傾斜した磁気ギャップを有するプラスアジマスの記録用磁気ヘッドであり、第２の記録用磁気ヘッドＨ２と第４の記録用磁気ヘッドＨ４は、回転ドラム２の回転に伴い移動する方向と直交する方向に対して所定のアジマス角で他方に傾斜した磁気ギャップを有するマイナスアジマスの記録用磁気ヘッドである。
【００２１】
そして、第１の記録用磁気ヘッドＨ１と第２の記録用磁気ヘッドＨ２、第３の記録用磁気ヘッドＨ３と第４の記録用磁気ヘッドＨ４がそれぞれ対をなして、いわゆるダブルアジマスの磁気ヘッドを構成している。すなわち、この回転ヘッド装置１は、２対のダブルアジマスの磁気ヘッドを備えている。
【００２２】
第１乃至第４の記録用磁気ヘッドＨ１，Ｈ２，Ｈ３，Ｈ４は、それぞれ同一のヘッドベース３上に取り付けられて、互いに近接した状態で、回転ドラム２に搭載されている。このとき、各記録用磁気ヘッドＨ１，Ｈ２，Ｈ３，Ｈ４は、図２に示すように、それぞれの記録用磁気ヘッド間のトラック幅方向の間隔、すなわちヘッド段差Ｌ１，Ｌ２，Ｌ３が、各記録用磁気ヘッドＨ１，Ｈ２，Ｈ３，Ｈ４の摺動方向Ａと直交する方向のヘッド幅Ｗの約１／４となるように位置決めされている。
【００２３】
以上のように構成される回転ヘッド装置１は、回転ドラム２が回転操作されることにより、記録用磁気ヘッドＨ１，Ｈ２，Ｈ３，Ｈ４が磁気テープＴ上をその走行方向に対して斜めに摺動し、磁気テープＴに傾斜した記録トラックを形成する。
【００２４】
また、本発明に係る記録装置は、図３に示すように、回転ヘッド装置１に記録信号を供給する信号供給部４と、この信号供給部４の動作を制御するコントローラ５とを備えている。信号供給部４には、磁気テープＴに記録すべき記録信号が入力される。そして、信号処理部４は、この記録信号に対して所定の信号処理を施した後に、コントローラ５の制御に従って、回転ヘッド装置１の記録用磁気ヘッドＨ１，Ｈ２，Ｈ３，Ｈ４に所定のタイミングで記録信号を供給する。
【００２５】
具体的には、トラック幅の狭い記録トラックを形成して信号を記録する高密度記録モードが選択された場合は、信号供給部４は、各記録用磁気ヘッドＨ１，Ｈ２，Ｈ３，Ｈ４の全ての記録機会、すなわち、これら記録用磁気ヘッドＨ１，Ｈ２，Ｈ３，Ｈ４が磁気テープＴ上を摺動する全ての機会に、記録用磁気ヘッドＨ１，Ｈ２，Ｈ３，Ｈ４に対して記録信号を供給する。
【００２６】
このように、高密度記録モードにおいては、各記録用磁気ヘッドＨ１，Ｈ２，Ｈ３，Ｈ４に対して全ての記録機会に信号供給部４から記録信号が供給されるので、各記録用磁気ヘッドＨ１，Ｈ２，Ｈ３，Ｈ４が磁気テープＴ上を摺動する度に、磁気テープＴに各記録用磁気ヘッドＨ１，Ｈ２，Ｈ３，Ｈ４の摺動軌跡に応じた記録トラックが形成される。
【００２７】
このとき、各記録用磁気ヘッドＨ１，Ｈ２，Ｈ３，Ｈ４間のヘッド段差Ｌ１，Ｌ２，Ｌ３は、ヘッド幅Ｗの約１／４に設定されているので、磁気テープＴ上には、図４に示すように、ヘッド幅Ｗの約１／４のトラック幅の記録トラックが順次形成されていくことになる。
【００２８】
詳述すると、磁気テープＴ上には、まず、第１の記録用磁気ヘッドＨ１が摺動した箇所にプラスアジマスの記録トラックが形成され、次いで、第１の記録用磁気ヘッドＨ１が摺動した箇所からヘッド幅Ｗの約１／４だけずれた箇所に、第２の記録用磁気ヘッドＨ２によりマイナスアジマスの記録トラックが形成される。このとき、第１の記録用磁気ヘッドＨ１により形成されたプラスアジマスの記録トラックは、ヘッド幅Ｗの約１／４分の領域を残して、第２の記録用磁気ヘッドＨ２により形成されたマイナスアジマスの記録トラックにより上書きされる。
【００２９】
さらに、第２の記録用磁気ヘッドＨ２が摺動した箇所からヘッド幅Ｗの約１／４だけずれた箇所に、第３の記録用磁気ヘッドＨ３によりプラスアジマスの記録トラックが形成される。このとき、第２の記録用磁気ヘッドＨ２により形成されたマイナスアジマスの記録トラックは、ヘッド幅Ｗの約１／４分の領域を残して、第３の記録用磁気ヘッドＨ３により形成されたプラスアジマスの記録トラックにより上書きされる。
【００３０】
さらに、第３の記録用磁気ヘッドＨ３が摺動した箇所からヘッド幅Ｗの約１／４だけずれた箇所に、第４の記録用磁気ヘッドＨ４によりプラスアジマスの記録トラックが形成される。このとき、第３の記録用磁気ヘッドＨ３により形成されたプラスアジマスの記録トラックは、ヘッド幅Ｗの約１／４分の領域を残して、第４の記録用磁気ヘッドＨ４により形成されたマイナスアジマスの記録トラックにより上書きされる。
【００３１】
本発明に係る記録装置においては、高密度記録モードが選択された場合、記録用磁気ヘッドＨ１，Ｈ２，Ｈ３，Ｈ４が、その全ての記録機会に記録トラックを順次形成していくことにより、磁気テープＴに図５に示すようなトラック幅がヘッド幅Ｗの約１／４の記録トラックが多数形成される。
【００３２】
一方、トラック幅の広い記録トラックを形成して信号を記録する標準記録モードが選択された場合は、信号供給部４は、各記録用磁気ヘッドＨ１，Ｈ２，Ｈ３，Ｈ４に対して、例えばそれらの記録機会の３回に１回の割合で記録信号を供給する。
【００３３】
具体的には、信号供給部４は、標準記録モードが選択された場合は、各記録用磁気ヘッドＨ１，Ｈ２，Ｈ３，Ｈ４が磁気テープＴ上を摺動する１回目の記録機会に、第１の記録用磁気ヘッドＨ１と第４の記録用磁気ヘッドＨ４にのみ記録信号を供給する。これにより、図６に示すように、磁気テープＴ上に、第１の記録用磁気ヘッドＨ１の摺動軌跡に応じたプラスアジマスの記録トラックと第４の記録用磁気ヘッドＨ４の摺動軌跡に応じたマイナスアジマスの記録トラックとが形成される。
【００３４】
このとき、第１の記録用磁気ヘッドＨ１と第４の記録用磁気ヘッドＨ４間のヘッド段差は、ヘッド幅Ｗの約３／４とされているので、第１の記録用磁気ヘッドＨ１により形成されたプラスアジマスの記録トラックは、ヘッド幅Ｗの約３／４分の領域を残して、第４の記録用磁気ヘッドＨ４により形成されたマイナスアジマスの記録トラックにより上書きされる。
【００３５】
次に、信号供給部４は、各記録用磁気ヘッドＨ１，Ｈ２，Ｈ３，Ｈ４が磁気テープＴ上を摺動する２回目の記録機会に、第３の記録用磁気ヘッドＨ３にのみ記録信号を供給する。これにより、図７に示すように、磁気テープＴ上に、第３の記録用磁気ヘッドＨ３の摺動軌跡に応じたプラスアジマスの記録トラックが形成される。
【００３６】
このとき、第３の記録用磁気ヘッドＨ３は、１回目の記録機会に第４の記録用磁気ヘッドＨ４が摺動した箇所からヘッド幅Ｗの約３／４だけずれた箇所を摺動することになるので、１回目の記録機会に第４の記録用磁気ヘッドＨ４により形成されたマイナスアジマスの記録トラックは、ヘッド幅Ｗの約３／４分の領域を残して、第３の記録用磁気ヘッドＨ３により形成されたプラスアジマスの記録トラックにより上書きされる。
【００３７】
次に、信号供給部４は、各記録用磁気ヘッドＨ１，Ｈ２，Ｈ３，Ｈ４が磁気テープＴ上を摺動する３回目の記録機会に、第２の記録用磁気ヘッドＨ２にのみ記録信号を供給する。これにより、図８に示すように、磁気テープＴ上に、第２の記録用磁気ヘッドＨ２の摺動軌跡に応じたマイナスアジマスの記録トラックが形成される。
【００３８】
このとき、第２の記録用磁気ヘッドＨ２は、２回目の記録機会に第３の記録用磁気ヘッドＨ３が摺動した箇所からヘッド幅Ｗの約３／４だけずれた箇所を摺動することになるので、２回目の記録機会に第３の記録用磁気ヘッドＨ３により形成されたプラスアジマスの記録トラックは、ヘッド幅Ｗの約３／４分の領域を残して、第２の記録用磁気ヘッドＨ２により形成されたマイナスアジマスの記録トラックにより上書きされる。
【００３９】
本発明に係る記録装置は、標準記録モードが選択された場合は、信号供給部４が以上の動作を繰り返して、各記録用磁気ヘッドＨ１，Ｈ２，Ｈ３，Ｈ４に対して、それらの記録機会の３回に１回の割合で記録信号を供給する。これにより、磁気テープＴ上に、トラック幅がヘッド幅Ｗの約３／４の記録トラックが多数形成される。
【００４０】
以上説明したように、本発明に係る記録装置は、高密度記録モードが選択されたときは、信号供給部４が各記録用磁気ヘッドＨ１，Ｈ２，Ｈ３，Ｈ４に対して、それらの全ての記録機会に記録信号を供給して、磁気テープＴ上にトラック幅がヘッド幅Ｗの約１／４の記録トラックを形成し、標準記録モードが選択されたときは、信号供給部４が各記録用磁気ヘッドＨ１，Ｈ２，Ｈ３，Ｈ４に対して、それらの記録機会の３回に１回の割合で記録信号を供給して、磁気テープＴ上にトラック幅がヘッド幅Ｗの約３／４の記録トラックを形成するようにしている。
【００４１】
したがって、この記録装置によれば、形成する記録トラックのトラック幅に応じた記録用磁気ヘッドを個別に設けたり、形成する記録トラックのトラック幅に応じて回転ドラム２の回転数や磁気テープＴの送り速度を制御したりといった煩雑な制御を行うことなく、狭トラックピッチでの記録と既存のトラックピッチでの記録の双方を容易に行うことができる。
【００４２】
なお、以上は、標準記録モードが選択されたときに、信号供給部４が各記録用磁気ヘッドＨ１，Ｈ２，Ｈ３，Ｈ４に対して、それらの記録機会の３回に１回の割合で記録信号を供給する例について説明したが、本発明に係る記録装置は、この例に限定されるものではなく、信号供給部４が各記録用磁気ヘッドＨ１，Ｈ２，Ｈ３，Ｈ４に対して、それらの記録機会の３以上の奇数回毎に記録信号を供給するようにすればよい。
【００４３】
本発明に係る記録装置は、標準記録モードが選択されたときに、信号供給部４が各記録用磁気ヘッドＨ１，Ｈ２，Ｈ３，Ｈ４に対して、例えば、それらの記録機会の５回に１回の割合で記録信号を供給した場合には、高密度記録モードにより形成される記録トラックのトラック幅の５倍のトラック幅を有する記録トラックが形成される。なお、この場合においては、各記録用磁気ヘッドＨ１，Ｈ２，Ｈ３，Ｈ４間のヘッド段差が、ヘッド幅Ｗの１／５となるように各記録用磁気ヘッドＨ１，Ｈ２，Ｈ３，Ｈ４を位置決めする。そして、信号供給部４は、１回目の記録機会に第１の記録用磁気ヘッドＨ１にのみ記録信号を供給し、２回目の記録機会に第２の記録用磁気ヘッドＨ２にのみ記録信号を供給し、３回目の記録機会に第３の記録用磁気ヘッドＨ３にのみ記録信号を供給し、４回目の記録機会に第４の記録用磁気ヘッドＨ４にのみ記録信号を供給し、５回目の記録機会には、いずれの記録用磁気ヘッドにも記録信号を供給しないようにする。これにより、記録装置は、高密度記録モードにより形成される記録トラックのトラック幅の５倍のトラック幅を有する記録トラックを適切に形成することができる。
【００４４】
また、以上は、２対のダブルアジマスの記録用磁気ヘッドを備えた記録装置について説明したが、本発明に係る記録装置はこの例に限定されるものではなく、１対のダブルアジマスの磁気ヘッドを備える構成であってもよく、また３対以上のダブルアジマスの磁気ヘッドを備える構成であってもよい。
【００４５】
【発明の効果】
本発明に係る記録装置は、磁気テープに対して第１のトラック幅の記録トラックを形成するときは、信号供給部が、互いに近接して回転ドラムに取り付けられた一対又は複数対のプラスアジマスの磁気ヘッド及びマイナスアジマスの磁気ヘッドに対して当該磁気ヘッドの全ての記録機会に記録信号を供給し、磁気テープに対して第１のトラック幅よりも広い第２のトラック幅の記録トラックを形成するときは、信号供給部が、上記一対又は複数対のプラスアジマスの磁気ヘッド及びマイナスアジマスの磁気ヘッドに対して当該磁気ヘッドの２ｎ＋１（ｎは自然数）回の記録機会毎に記録信号を供給するようにしているので、例えば形成する記録トラックのトラック幅に応じた記録用磁気ヘッドを個別に設けたり、形成する記録トラックのトラック幅に応じて回転ドラムの回転数や磁気テープの送り速度を制御したりといった煩雑な制御を行うことなく、狭トラックピッチでの記録と既存のトラックピッチでの記録の双方を容易に行うことができる。
【００４６】
また、本発明に係る信号記録方法によれば、一対又は複数対のプラスアジマスの磁気ヘッド及びマイナスアジマスの磁気ヘッドに対して当該磁気ヘッドの全ての記録機会に記録信号を供給することにより、磁気テープに第１のトラック幅の記録トラックが形成され、上記一対又は複数対のプラスアジマスの磁気ヘッド及びマイナスアジマスの磁気ヘッドに対して当該磁気ヘッドの２ｎ＋１（ｎは自然数）回の記録機会毎に記録信号を供給することにより、磁気テープに第１のトラック幅の２ｎ＋１倍の広さである第２のトラック幅の記録トラックが形成されるので、狭トラックピッチでの記録と既存のトラックピッチでの記録の双方を容易に行うことができる。
【図面の簡単な説明】
【図１】本発明に係る記録装置の備える回転ヘッド装置の模式図である。
【図２】第１乃至第４の記録用磁気ヘッド間のヘッド段差を説明する図である。
【図３】上記記録装置の概略構成を示すブロック図である。
【図４】上記記録装置により高密度記録モードで記録トラックを形成する様子を説明する平面図である。
【図５】上記記録装置により、高密度記録モードで記録トラックを形成した状態を示す平面図である。
【図６】上記記録装置により、標準記録モードで記録トラックを形成する様子を説明する平面図である。
【図７】上記記録装置により、標準記録モードで記録トラックを形成する様子を説明する平面図である。
【図８】上記記録装置により、標準記録モードで記録トラックを形成する様子を説明する平面図である。
【符号の説明】
１  回転ヘッド装置、２  回転ドラム、３  ヘッドベース、４  信号供給部、５  コントローラ、Ｈ１  第１の記録用磁気ヘッド、Ｈ２  第２の記録用磁気ヘッド、Ｈ３  第３の記録用磁気ヘッド、Ｈ４  第４の記録用磁気ヘッド、Ｔ  磁気テープ
【図１】
0003823541.tif 000002
【図２】
0003823541.tif 000003
【図３】
0003823541.tif 000004
【図４】
0003823541.tif 000005
【図５】
0003823541.tif 000006
【図６】
0003823541.tif 000007
【図７】
0003823541.tif 000008
【図８】
0003823541.tif 000009